(57)【要約】【課題】情報を、仮想転送システム５を含むアクセスマルチプレクサ３を介してネットワークに伝送するシステムを提供すること。【解決手段】端末システム１で仮想転送インターネットプロトコルアドレス３５、６４、６６を、情報をヘッディングするためのインターネットプロトコルヘッダの宛先フィールドに挿入し、宛先インターネットプロトコルアドレス３６、３７、３８、６５、６７をインターネットプロトコルヘッダのルーティングフィールドに挿入することによって、複雑性が低減される。端末システム１とアクセスマルチプレクサ３は両方、宛先フィールドおよびルーティングフィールドを有するインターネットプロトコルヘッダに対応できなければならない。宛先インターネットプロトコルアドレスによって、端末システム１によって同時に使用されるサービスの様々なクラスかつ／または様々なアプリケーションの区別が可能になる。【選択図】      図２
2005184807.tif 000002
【特許請求の範囲】
【請求項１】
端末システム（１、２）からアクセスマルチプレクサ（３）を介して、アクセスマルチプレクサ（３）に結合されたネットワークに情報を伝送し、アクセスマルチプレクサ（３）が仮想転送システム（５）を含むシステムであって、
仮想転送システム（５）の少なくとも一部を定義する仮想転送インターネットプロトコルアドレス（３５、６４、６６）を端末システム（１、２）に送信する送信機（８２）をさらに含み、
端末システム（１、２）は、
仮想転送インターネットプロトコルアドレス（３５、６４、６６）を受信する受信機（９２）と、
仮想転送インターネットプロトコルアドレス（３５、６４、６６）を情報をヘッディングするためのインターネットプロトコルヘッダの宛先フィールドに挿入し、宛先インターネットプロトコルアドレス（３６、３７、３８、６５、６７）をインターネットプロトコルヘッダのルーティングフィールドに挿入するインサータ（９１ｄ）とを含み、宛先インターネットプロトコルアドレス（３６、３７、３８、６５、６７）がネットワーク内の宛先を定義することを特徴とするシステム。
【請求項２】
情報が第１のアプリケーション情報および第２のアプリケーション情報を含み、宛先インターネットプロトコルアドレスが、ネットワーク内の第１の宛先を定義する第１の宛先インターネットプロトコルアドレス（３６、６５）を含み、かつネットワーク内の第２の宛先を定義する第２の宛先インターネットプロトコルアドレス（３８、６７）を含み、インターネットプロトコルヘッダが、第１のアプリケーション情報をヘッディングする第１のインターネットプロトコルヘッダを含み、かつ第２のアプリケーション情報をヘッディングするための第２のインターネットプロトコルヘッダを含み、第１の宛先インターネットプロトコルアドレス（３６、６５）が第１のインターネットプロトコルヘッダに挿入され、第２の宛先インターネットプロトコルアドレス（３８、６７）が第２のインターネットプロトコルヘッダに挿入されることを特徴とする請求項１に記載のシステム。
【請求項３】
第１の宛先が第１のエッジルータ（６）を含み、第２の宛先が第２のエッジルータ（７）を含み、仮想転送インターネットプロトコルアドレス（３５）が第１のインターネットプロトコルヘッダの宛先フィールドおよび第２のインターネットプロトコルヘッダの宛先フィールドに挿入されることを特徴とする請求項２に記載のシステム。
【請求項４】
情報が第３のアプリケーション情報をさらに含み、第１のアプリケーション情報および第３のアプリケーション情報が第１のサービスプロバイダに宛てられ、第２のアプリケーション情報が第２のサービスプロバイダに宛てられ、宛先インターネットプロトコルアドレスがネットワーク内の第３の宛先を定義する第３の宛先インターネットプロトコルアドレス（３７）をさらに含み、第３の宛先が第３のエッジルータ（８）を含み、インターネットプロトコルヘッダが第３のアプリケーション情報をヘッディングする第３のインターネットプロトコルヘッダをさらに含み、第３の宛先インターネットプロトコルアドレス（３７）が第３のインターネットプロトコルヘッダに挿入され、仮想転送インターネットプロトコルアドレス（３５）が第３のインターネットプロトコルヘッダの宛先フィールドに挿入されることを特徴とする請求項３に記載のシステム。
【請求項５】
仮想転送システム（５）が第１の仮想転送機能（５ａ）および第２の仮想転送機能（５ｂ）を含み、仮想転送インターネットプロトコルアドレス（６４、６６）が、第１の仮想転送機能（５ａ）を定義する第１の仮想転送インターネットプロトコルアドレス（６４）を含み、かつ第２の仮想転送機能（５ｂ）を定義する第２の仮想転送インターネットプロトコルアドレス（６６）を含み、第１の仮想転送インターネットプロトコルアドレス（６４）が第１のインターネットプロトコルヘッダの宛先フィールドに挿入され、第２の仮想転送インターネットプロトコルアドレス（６６）が第２のインターネットプロトコルヘッダの宛先フィールドに挿入され、第１の宛先が第１のサービスプロバイダにある第１のアプリケーションを含み、第２の宛先が第２のサービスプロバイダにある第２のアプリケーションを含むことを特徴とする請求項２に記載のシステム。
【請求項６】
情報を端末システム（１、２）からアクセスマルチプレクサ（３）を介してアクセスマルチプレクサ（３）に結合されたネットワークに伝送するシステムで使用する、仮想転送システム（５）を備えたアクセスマルチプレクサ（３）であって、
仮想転送システム（５）の少なくとも一部を定義する仮想転送インターネットプロトコルアドレス（３５、６４、６６）を端末システム（１、２）に送信する送信機（８２）をさらに含むことを特徴とするアクセスマルチプレクサ（３）。
【請求項７】
情報を端末システム（１、２）からアクセスマルチプレクサ（３）を介してアクセスマルチプレクサ（３）に結合されたネットワークに伝送するシステムで使用し、アクセスマルチプレクサ（３）が仮想転送システム（５）を備えたアクセスマルチプレクサ（３）プロセッサプログラム製品であって、
仮想転送システム（５）の少なくとも一部を定義する仮想転送インターネットプロトコルアドレス（３５、６４、６６）を端末システム（１、２）に送信する送信機能を含むことを特徴とするアクセスマルチプレクサ（３）プロセッサプログラム製品。
【請求項８】
情報を端末システム（１、２）からアクセスマルチプレクサ（３）を介してアクセスマルチプレクサ（３）に結合されたネットワークに伝送するシステムで使用し、アクセスマルチプレクサ（３）が仮想転送システム（５）を備えた端末システム（１、２）であって、
仮想転送システム（５）の少なくとも一部を定義する仮想転送インターネットプロトコルアドレス（３５、６４、６６）を受信するための受信機（９２）と、
仮想転送インターネットプロトコルアドレス（３５、６４、６６）を情報をヘッディングするためのインターネットプロトコルヘッダの宛先フィールドに挿入し、宛先インターネットプロトコルアドレス（３６、３７、３８、６５、６７）をインターネットプロトコルヘッダのルーティングフィールドに挿入するインサータ（９１ｄ）とを含み、宛先インターネットプロトコルアドレス（３６、３７、３８、６５、６７）がネットワーク内の宛先を定義することを特徴とするシステム。
【請求項９】
情報を端末システム（１、２）からアクセスマルチプレクサ（３）を介してアクセスマルチプレクサ（３）に結合されたネットワークに伝送するシステムで使用し、アクセスマルチプレクサ（３）が仮想転送システム（５）を備えた端末システム（１、２）プロセッサプログラム製品であって、
仮想転送システム（５）の少なくとも一部を定義する仮想転送インターネットプロトコルアドレス（３５、６４、６６）を受信するための受信機能と、
仮想転送インターネットプロトコルアドレス（３５、６４、６６）を情報をヘッディングするためのインターネットプロトコルヘッダの宛先フィールドに挿入し、宛先インターネットプロトコルアドレス（３６、３７、３８、６５、６７）をインターネットプロトコルヘッダのルーティングフィールドに挿入する挿入機能とを含み、宛先インターネットプロトコルアドレス（３６、３７、３８、６５、６７）がネットワーク内の宛先を定義することを特徴とする端末システム（１、２）プロセッサプログラム製品。
【請求項１０】
情報を端末システム（１、２）からアクセスマルチプレクサ（３）を介して、アクセスマルチプレクサ（３）に結合されたネットワークに伝送し、アクセスマルチプレクサ（３）が仮想転送システム（５）を含む方法であって、
アクセスマルチプレクサ（３）から端末システム（１、２）に仮想転送システムの少なくとも一部を定義する仮想転送インターネットプロトコルアドレス（３５、６４、６６）を送信するステップと、
端末システム（１、２）で仮想転送インターネットプロトコルアドレス（３５、６４、６６）を受信するステップと、
端末システム（１、２）で仮想転送インターネットプロトコルアドレス（３５、６４、６６）を情報をヘッディングするためのインターネットプロトコルヘッダの宛先フィールドに挿入し、宛先インターネットプロトコルアドレス（３６、３７、３８、６５、６７）をインターネットプロトコルヘッダのルーティングフィールドに挿入するステップとを含み、宛先インターネットプロトコルアドレス（３６、３７、３８、６５、６７）がネットワーク内の宛先を定義することを特徴とする方法。
【発明の詳細な説明】
【技術分野】
【０００１】
本発明は、情報を端末システムからアクセスマルチプレクサを介して、アクセスマルチプレクサに結合されたネットワークに伝送するシステムに関する。アクセスマルチプレクサは仮想転送システムを備える。
【０００２】
こうした端末システムの例には、（ラップトップまたはデスクトップなど）パーソナルコンピュータ（の組合せ）、（ディジタル加入者回線モデムなど）モデム、および（（スクリーン）フォン、無線端末システム、または移動端末システムなど）電気通信端末システムがある。こうしたアクセスマルチプレクサの例には、ディジタル加入者回線アクセスマルチプレクサがある。
【背景技術】
【０００３】
従来技術のシステムは一般に知られており、インターネットプロトコルバージョン６の準備が整っていると公言されてはいるが、今もなおインターネットプロトコルバージョン４の環境で使用されている。端末システムは、１つあるいは複数のパケット、１つあるいは複数のメッセージ、または１つあるいは複数のパケット化されたメッセージなどの情報をアクセスマルチプレクサに送信する。パケット、メッセージ、またはパケット化されたメッセージは、ＭＡＣ（Ｍｅｄｉｕｍ  Ａｃｃｅｓｓ  Ｃｏｎｔｒｏｌ）アドレスなどレイヤー２宛先アドレスを有するヘッダを含む。アクセスマルチプレクサは、レイヤー２宛先アドレスに基づいて仮想転送システムの適切な部分を選択するイーサネット（登録商標）ブリッジを含む。仮想転送システムの選択された適切な部分は、たとえばサービスプロバイダに結合されて、このサービスプロバイダに情報を転送し、ユーザが端末システムで法人イントラネットサイトおよび／または公庫のポータルサイトをアクセスすることができるようにする。
【０００４】
従来技術のシステムは、とりわけ複雑性が比較的に高いために不利である。入ってくる上流の情報は、アクセスマルチプレクサで、情報（の一部）を検出するイーサネットブリッジに提供され、次いでその情報は情報（の一部）を検出する仮想転送システムに提供されてから、上流方向に転送可能になる。入ってくる下流の情報は、情報（の一部）を検出する仮想転送システムに提供され、次いでその情報は情報（の一部）を検出するイーサネットブリッジに提供されてから、下流方向に転送可能になる。さらに、拡張されたルーティング制御を実行できるようにするには、アクセスマルチプレクサは情報を大幅にアンパックしなければならず、それも複雑性が比較的高い。
【発明の開示】
【発明が解決しようとする課題】
【０００５】
本発明の目的は、とりわけ、複雑が比較的低い、プリアンブルで定義したシステムを提供することである。
【課題を解決するための手段】
【０００６】
本発明によるシステムは、アクセスマルチプレクサが
仮想転送システムの少なくとも一部を定義する仮想転送インターネットプロトコルアドレスを端末システムに送信する送信機をさらに含むことを特徴とし、
端末システムが、
仮想転送インターネットプロトコルアドレスを受信する受信機と、
仮想転送インターネットプロトコルアドレスをインターネットプロトコルヘッダの宛先フィールドに挿入して、情報をヘッディングし、宛先インターネットプロトコルアドレスをインターネットプロトコルヘッダのルーティングフィールドに挿入するインサータとを含み、宛先インターネットプロトコルアドレスがネットワーク内の宛先を定義することを特徴とする。
【０００７】
送信機をアクセスマルチプレクサに導入し、受信機を端末システムに導入することによって、端末システムに仮想転送インターネットプロトコルアドレスが通知される。端末システムはさらに、宛先インターネットプロトコルアドレスをアクセスマルチプレクサの送信機からまたはたとえばブラウジングによって受信する。仮想転送インターネットプロトコルアドレスは、インサータを介して、情報のインターネットプロトコルヘッダの宛先フィールドに挿入され、宛先インターネットプロトコルアドレスは、インターネットプロトコルヘッダのルーティングフィールドに挿入される。仮想転送インターネットプロトコルアドレスがインターネットプロトコルヘッダの宛先フィールド内に存在するため、端末システムは、イーサネットブリッジを必要とせずに、その情報を仮想転送システムの適切な部分に直接送信することができる。インターネットプロトコルヘッダのルーティングフィールド内の宛先インターネットプロトコルアドレスによって、アクセスマルチプレクサが情報（の一部）をアンパックして情報（の一部）を（アンパッキングによって）より高層で検出するように強制させられることなく、端末システムによって同時に使用されるサービスの様々なクラスの区別が可能になる。その結果、本発明によるシステムは複雑性が比較的低くなる。
【０００８】
適切に機能させるには、端末システムとアクセスマルチプレクサの両方が、インターネットプロトコルバージョン４に従ってインターネットプロトコルヘッダに対応し（この場合、ルーティングフィールドはたとえばストリクトソースルーティングオプションフィールドまたはルーズソースルーティングフィールドに対応する）、または、たとえばインターネットプロトコルバージョン６などインターネットプロトコルバージョン４よりも高レベルのインターネットプロトコルヘッダに対応できなければならないことを留意されたい（この場合、ルーティングフィールドはたとえばルーティング拡張フィールドに対応する）。
【０００９】
本発明によるシステムの実施形態は、情報が、第１のアプリケーション情報および第２のアプリケーション情報を含み、宛先インターネットプロトコルアドレスがネットワーク内の第１の宛先を定義する第１の宛先インターネットプロトコルアドレスを含み、ネットワーク内の第２の宛先を定義する第２の宛先インターネットプロトコルアドレスを含み、インターネットプロトコルヘッダが、第１のアプリケーション情報をヘッディングする第１のインターネットプロトコルヘッダを含み、第２のアプリケーション情報をヘッディングする第２のインターネットプロトコルヘッダを含み、第１の宛先インターネットプロトコルアドレスが第１のインターネットプロトコルヘッダに挿入され、第２の宛先インターネットプロトコルアドレスが第２のインターネットプロトコルヘッダに挿入されることを特徴とする。
【００１０】
この場合、端末システムは様々なアプリケーションと接触している。第１および第２のインターネットプロトコルヘッダのルーティングフィールド内の第１および第２の宛先インターネットプロトコルアドレスによって、アクセスマルチプレクサが情報をアンパックしてより高層で情報を検出するように強制させられることなく、端末システムによって同時に使用される様々なアプリケーションの区別が可能になる。
【００１１】
本発明によるシステムの実施形態は、第１の宛先が第１のエッジルータを含み、第２の宛先が第２のエッジルータを含み、仮想転送インターネットプロトコルアドレスが第１のインターネットプロトコルヘッダの宛先フィールドおよび第２のインターネットプロトコルヘッダの宛先フィールドに挿入されることを特徴とする。
【００１２】
この場合、様々なエッジルータが様々なアプリケーションに使用されるが、理論上は、（仮想転送インターネットプロトコルアドレスは１つしか使用されないため）仮想転送システムには仮想転送機能が１つしか必要とされない。実際は、仮想転送システムでは２つ以上の仮想転送機能を使用することができる。
【００１３】
本発明によるシステムの実施形態は、情報がさらに第３のアプリケーション情報を含み、第１のアプリケーション情報および第３のアプリケーション情報が第１のサービスプロバイダに宛てられ、第２のアプリケーション情報が第２のサービスプロバイダに宛てられ、宛先インターネットプロトコルアドレスがネットワーク内の第３の宛先を定義する第３の宛先インターネットプロトコルアドレスをさらに含み、第３の宛先が第３のエッジルータを含み、インターネットプロトコルヘッダが第３のアプリケーション情報をヘッディングするための第３のインターネットプロトコルヘッダをさらに含み、第３の宛先インターネットプロトコルアドレスは第３のインターネットプロトコルヘッダに挿入され、仮想転送インターネットプロトコルアドレスが第３のインターネットプロトコルヘッダの宛先フィールドに挿入されることを特徴とする。
【００１４】
この場合、端末システムは、第１のエッジルータを介して第１のアプリケーションと接触し、第３のエッジルータを介して第３のアプリケーションと接触し、第１および第３のアプリケーションは第１の（ネットワーク）サービスプロバイダによって提供され、端末システムは第２のエッジルータを介して第２のアプリケーションと接触し、第２のアプリケーションは第２の（ネットワーク）サービスプロバイダによって提供される。やはり、様々なエッジルータが様々なアプリケーションに使用されるが、理論上は、仮想転送システムには仮想転送機能が１つしか必要とされない。実際は、２つ以上の仮想転送機能を仮想転送システムで使用することができる。
【００１５】
本発明によるシステムの実施形態は、仮想転送システムが第１の仮想転送機能および第２の仮想転送機能を含み、仮想転送インターネットプロトコルアドレスが、第１の仮想転送機能を定義する第１の仮想転送インターネットプロトコルアドレスを含み、第２の仮想転送機能を定義する第２の仮想転送インターネットプロトコルアドレスを含み、第１の仮想転送インターネットプロトコルアドレスが第１のインターネットプロトコルヘッダの宛先フィールドに挿入され、第２の仮想転送インターネットプロトコルアドレスは第２のインターネットプロトコルヘッダの宛先フィールドに挿入され、第１の宛先が第１のサービスプロバイダにある第１のアプリケーションを含み、第２の宛先が第２のサービスプロバイダにある第２のアプリケーションを含むことを特徴とする。
【００１６】
この場合、第１および第２のインターネットプロトコルヘッダのルーティングフィールド内の第１および第２の宛先インターネットプロトコルアドレスは、エッジルータの中／背後の様々なアプリケーションを定義する。したがって、仮想転送システム内の様々な仮想転送機能が導入されており、様々な仮想転送インターネットプロトコルアドレスを端末システムに送信しなければならず、端末システムによって様々なインターネットプロトコルヘッダの宛先フィールドに挿入しなければならない。
【００１７】
従来技術では、様々なサービスプロバイダから実行される様々なアプリケーションを有する端末システムは、プロバイダごとに１つの別個のインターネットプロトコルアドレスを受信する必要がある。端末システムの構成中に、端末システムは、アクセスマルチプレクサの対応する仮想転送機能の対応するインターネットプロトコルアドレスも受信する。次いで、端末システムは、信号メッセージを介して対応するイーサネットアドレスを推定する。次いで情報が、そのイーサネットアドレスによって適切な仮想転送機能に送信される。本発明によれば、端末システムは、サービスプロバイダ全てに対して単一のインターネットプロトコルアドレスを受信するだけでよく、アクセスマルチプレクサの様々な仮想転送機能のインターネットプロトコルアドレスを受信した後、アプリケーションが、情報ヘッダの対応する仮想転送インターネットプロトコルアドレスを使用する（すなわち、仮想転送インターネットプロトコルアドレスを宛先フィールドに入れ、宛先インターネットプロトコルアドレスをルーティングフィールドに入れる）ことによって、情報を送信するサービスプロバイダ（およびしたがって仮想転送機能）を選択することができる。それによって、副次的な利点として、アクセスマルチプレクサの仮想転送機能の前のイーサネットスイッチの必要をなくすこともできる。レイヤー３インターネットプロトコルアドレスに基づいてサービスプロバイダを選択するこの方法は、レイヤー２イーサネットアドレスに基づいて選択するよりも端末システムにとってより直接的であり明白である。サービスプロバイダのうちの１つではなくアクセスプロバイダによって、単一のインターネットプロトコルアドレスを端末システムに割り当てることができる。アドレスは、たとえば地理的位置に基づくものでもよい。これは、アクセスプロバイダに競争力のある利点を提供する。すなわち、アクセスプロバイダは、加入者用のそれ自体のインターネットプロトコルアドレス指定領域を有効に管理することができ、アクセスプロバイダがそれ自体のサーバにサービスを提供する一方で、様々なサービスプロバイダへの同時接続を提供することができる。
【００１８】
本発明は、情報を端末システムからアクセスマルチプレクサを介して、アクセスマルチプレクサに結合されたネットワークに伝送するシステムで使用するアクセスマルチプレクサにも関する。アクセスマルチプレクサは仮想転送システムを備える。
【００１９】
本発明によるアクセスマルチプレクサは、
アクセスマルチプレクサが仮想転送システムの少なくとも一部を定義する仮想転送インターネットプロトコルアドレスを端末システムに送信する送信機をさらに含むことを特徴とする。
【００２０】
本発明は、情報を端末システムからアクセスマルチプレクサを介して、アクセスマルチプレクサに結合されたネットワークに伝送するシステムで使用するアクセスマルチプレクサプロセッサプログラム製品にも関する。アクセスマルチプレクサは仮想転送システムを備える。
【００２１】
本発明によるアクセスマルチプレクサプロセッサプログラム製品は、
仮想転送システムの少なくとも一部を定義する仮想転送インターネットプロトコルアドレスを端末システムに送信する送信機能を含むことを特徴とする。
【００２２】
本発明は、情報を端末システムからアクセスマルチプレクサを介して、アクセスマルチプレクサに結合されたネットワークに伝送するシステムで使用する端末システムにも関する。アクセスマルチプレクサは仮想転送システムを備える。
【００２３】
本発明による端末システムは、
仮想転送システムの少なくとも一部を定義する仮想転送インターネットプロトコルアドレスを受信するための受信機と、
仮想転送インターネットプロトコルアドレスを、情報をヘッディングするインターネットプロトコルヘッダの宛先フィールドに挿入し、宛先インターネットプロトコルアドレスをインターネットプロトコルヘッダのルーティングフィールドに挿入するためのインサータとを含み、宛先インターネットプロトコルアドレスがネットワーク内の宛先を定義することを特徴とする。
【００２４】
本発明は、情報を端末システムからアクセスマルチプレクサを介して、アクセスマルチプレクサに結合されたネットワークに伝送するシステムで使用する端末システムプロセッサプログラム製品にも関する。アクセスマルチプレクサは仮想転送システムを備える。
【００２５】
本発明による端末システムプロセッサプログラム製品は、
仮想転送システムの少なくとも一部を定義する仮想転送インターネットプロトコルアドレスを受信する受信機能と、
仮想転送インターネットプロトコルアドレスを、情報をヘッディングするインターネットプロトコルヘッダの宛先フィールドに挿入し、宛先インターネットプロトコルアドレスをインターネットプロトコルヘッダのルーティングフィールドに挿入する挿入機能とを含み、宛先インターネットプロトコルアドレスがネットワーク内の宛先を定義することを特徴とする。
【００２６】
本発明は、情報を端末システムからアクセスマルチプレクサを介して、アクセスマルチプレクサに結合されたネットワークに伝送する方法にも関する。アクセスマルチプレクサは仮想転送システムを備える。
【００２７】
本発明による方法は、
アクセスマルチプレクサから端末システムに仮想転送システムの少なくとも一部を定義する仮想転送インターネットプロトコルアドレスを送信するステップと、
端末システムで仮想転送インターネットプロトコルアドレスを受信するステップと、
端末システムで仮想転送インターネットプロトコルアドレスを、情報をヘッディングするためのインターネットプロトコルヘッダの宛先フィールドに挿入し、宛先インターネットプロトコルアドレスをインターネットプロトコルヘッダのルーティングフィールドに挿入するステップとを含み、宛先インターネットプロトコルアドレスがネットワーク内の宛先を定義することを特徴とする。
【００２８】
本発明によるアクセスマルチプレクサ、本発明によるアクセスマルチプレクサプロセッサプログラム製品、本発明による端末システム、本発明による端末システムプロセッサプログラム製品および方法の実施形態は、本発明によるシステムの実施形態に対応する。
【００２９】
本発明はとりわけ、インターネットプロトコルバージョン４によるインターネットプロトコルヘッダが宛先フィールドを含み、かつストリクトソースルーティングオプションフィールドまたはルーズソースルーティングフィールドを含み、たとえばインターネットプロトコルバージョン６などインターネットプロトコルバージョン４よりも高レベルのインターネットプロトコルヘッダが宛先フィールドを含み、かつルーティング拡張フィールドを含むという見識に基づき、とりわけ仮想転送インターネットプロトコルアドレスがインターネットプロトコルヘッダの宛先フィールドに挿入され、宛先インターネットプロトコルアドレスがインターネットプロトコルヘッダのルーティングフィールドに挿入されるという基本概念に基づくものである。
【００３０】
本発明はとりわけ、インターネットプロトコルヘッダのルーティングフィールド内の宛先インターネットプロトコルアドレスによって、アクセスマルチプレクサが情報（の一部）をアンパックし、情報（の一部）をより高層で検出するように強制させられることなく、端末システムによって同時に使用されるサービスの様々なクラスの区別が可能になる点で、複雑性が比較的低く、さらに有利なシステムを提供することによって問題を解決する。
【００３１】
本発明の上記その他の態様は、以下に記載する１つまたは複数の実施形態を参照して明らかになり解明されるであろう。
【発明を実施するための最良の形態】
【００３２】
図１で示した従来技術のシステムのブロック図には、たとえば従来技術のアクセスマルチプレクサ３００に結合された端末１００およびモデム２００を備えた従来技術の端末システム１００、２００が含まれている。アクセスマルチプレクサ３００は、イーサネットブリッジ４、および第１のエッジルータ６に結合された第１の仮想転送機能５ａ並びに第２のエッジルータ７に結合された第２の仮想転送機能５ｂを含む仮想転送システム５を備える。
【００３３】
端末システム１００、２００は、エッジルータ６、７を含むネットワークに情報を送信する。この情報は、たとえばそれぞれヘッダによってヘッディングされた、１つあるいは複数のパケット、１つあるいは複数のメッセージ、または１つあるいは複数のパケット化されたメッセージを含む。端末システム１００、２００が２つの異なる宛先に同時にアクセスする場合、情報は（第１の宛先に宛てられた）第１のアプリケーション情報と（第２の宛先に宛てられた）第２のアプリケーション情報に分けられる。第１のアプリケーション情報について、ヘッダはレイヤー２にイーサネットソースフィールド２１およびイーサネット宛先フィールド２２を含み、レイヤー３にインターネットプロトコルソースフィールド１１およびインターネットプロトコル宛先フィールド１２を含む。第２のアプリケーション情報について、ヘッダはレイヤー２にイーサネットソースフィールド２１およびイーサネット宛先フィールド２３を含み、レイヤー３にインターネットプロトコルソースフィールド１１およびインターネットプロトコル宛先フィールド１３を含む。
【００３４】
第１のアプリケーション情報はイーサネットブリッジ４に到着し、次いで第１の仮想転送機能５ａに提供されて、アクセスマルチプレクサ３００と第１のエッジルータ６の間でヘッダがレイヤー３にインターネットプロトコルソースフィールド１１およびインターネットプロトコル宛先フィールド１２をなお含んでいるが、レイヤー２にはイーサネットソースフィールド２４およびイーサネット宛先フィールド２５を含むように変換される。第２のアプリケーション情報はイーサネットブリッジ４に到着し、次いで第２の仮想転送機能５ｂに提供されて、アクセスマルチプレクサ３００と第２のエッジルータ７の間でヘッダがレイヤー３にインターネットプロトコルソースフィールド１１およびインターネットプロトコル宛先フィールド１３をなお含んでいるが、レイヤー２にはイーサネットソースフィールド２４およびイーサネット宛先フィールド２６を含むように変換される。要約すると、レイヤー３でフィールドは以下のように充填される。１１＝ａｄｄｒｅｓｓ  Ａ、１２＝ａｄｄｒｅｓｓ  Ｘ、かつ１３＝ａｄｄｒｅｓｓ  Ｙ、かつレイヤー２では、２１＝ａｄｄｒｅｓｓ  Ａ、２２＝ａｄｄｒｅｓｓ  ＶＦ１、２３＝ａｄｄｒｅｓｓ  ＶＦ２、２４＝ａｄｄｒｅｓｓ  ＡＭ、２５＝ａｄｄｒｅｓｓ  ＥＲ１かつ２６＝ａｄｄｒｅｓｓ  ＥＲ２である。したがって、Ａは端末システム１００、２００を指し、Ｘは第１の宛先を指し、Ｙは第２の宛先を指し、ＶＦ１は第１の仮想転送機能５ａを指し、ＶＦ２は第２の仮想転送機能５ｂを指し、ＡＭはアクセスマルチプレクサ３００を指し、ＥＲ１は第１のエッジルータ６を指し、ＥＲ２は第２のエッジルータ７を指す。
【００３５】
イーサネットブリッジ４を省き、システムの複雑さを低減することができるようにするには、本発明によれば、図２および３で示したようにレイヤー３で以下のように変更される。
【００３６】
図２で示した本発明によるシステムのブロック図には、たとえば本発明によるアクセスマルチプレクサ３に結合された端末１および／またはモデム２を備えた本発明による端末システム１、２が含まれている。アクセスマルチプレクサ３はもはやいずれのイーサネットブリッジも含んでいないが、図で示していない１つまたは複数の仮想転送機能を含む仮想転送システム５を含み、第１のエッジルータ６、第２のエッジルータ７、および第３のエッジルータ８に結合されている。
【００３７】
端末システム１、２は、エッジルータ６、７、８を含むネットワークに情報を送信する。この情報は、たとえばそれぞれヘッダによってヘッディングされた、１つあるいは複数のパケット、１つあるいは複数のメッセージ、または１つあるいは複数のパケット化されたメッセージを含む。端末システム１、２が３つの異なる宛先に同時にアクセスする場合、情報は（第１のエッジルータ６を含む第１の宛先に宛てられた）第１のアプリケーション情報と、（第２のエッジルータ７を含む第２の宛先に宛てられた）第２のアプリケーション情報と、（第３のエッジルータ８を含む第３の宛先に宛てられた）第３のアプリケーション情報に分けられる。第１のアプリケーション情報および第３のアプリケーション情報は、第１のエッジルータ６および第３のエッジルータ８を使用して第１のサービスプロバイダに提供される。第２のアプリケーション情報は、第２のエッジルータ７を使用して第２のサービスプロバイダに提供される。
【００３８】
第１のアプリケーション情報について、ヘッダはレイヤー２にイーサネットソースフィールド５１およびイーサネット宛先フィールド５２を含み、レイヤー３にインターネットプロトコルソースフィールド３１およびインターネットプロトコル宛先フィールド３５およびインターネットプロトコルルーティングフィールド３６を含む。最初は、ヘッダはレイヤー３にインターネットプロトコルソースフィールド３１およびインターネットプロトコル宛先フィールド３２を含み、図４および５で詳細に示すように、端末システム１、２は、インターネットプロトコル宛先フィールド３５のための内容、およびインターネットプロトコルルーティングフィールド３６のための内容を挿入する。第２のアプリケーション情報について、ヘッダはレイヤー２にイーサネットソースフィールド５１およびイーサネット宛先フィールド５２を含み、レイヤー３にインターネットプロトコルソースフィールド３１およびインターネットプロトコル宛先フィールド３５およびインターネットプロトコルルーティングフィールド３８を含む。最初は、ヘッダはレイヤー３にインターネットプロトコルソースフィールド３１およびインターネットプロトコル宛先フィールド３４を含み、図４および５で詳細に示すように、端末システム１、２は、インターネットプロトコル宛先フィールド３５のための内容、およびインターネットプロトコルルーティングフィールド３８のための内容を挿入する。第３のアプリケーション情報について、ヘッダはレイヤー２にイーサネットソースフィールド５１およびイーサネット宛先フィールド５２を含み、レイヤー３にインターネットプロトコルソースフィールド３１およびインターネットプロトコル宛先フィールド３５およびインターネットプロトコルルーティングフィールド３７を含む。最初は、ヘッダはレイヤー３にインターネットプロトコルソースフィールド３１およびインターネットプロトコル宛先フィールド３３を含み、図４および５で詳細に示すように、端末システム１、２は、インターネットプロトコル宛先フィールド３５のための内容、およびインターネットプロトコルルーティングフィールド３７のための内容を挿入する。
【００３９】
第１のアプリケーション情報はアクセスマルチプレクサ３に到着し、次いで仮想転送システム５に提供されて、アクセスマルチプレクサ３と第１のエッジルータ６の間で、ヘッダがレイヤー２にイーサネットソースフィールド５３およびイーサネット宛先フィールド５４をなお含んでいるが、レイヤー３にはインターネットプロトコルソースフィールド３１およびインターネットプロトコル宛先フィールド３９およびインターネットプロトコルルーティングフィールド４２を含むように変換される。第１のエッジルータ６のもう一方側で、ヘッダはレイヤー３にインターネットプロトコルソースフィールド３１およびインターネットプロトコル宛先フィールド３２およびインターネットプロトコルルーティングフィールド４５を含む。第２のアプリケーション情報はアクセスマルチプレクサ３に到着し、次いで仮想転送システム５に提供されて、アクセスマルチプレクサ３と第２のエッジルータ７の間で、ヘッダがレイヤー２にイーサネットソースフィールド５３およびイーサネット宛先フィールド５６を含んでいるが、レイヤー３にはインターネットプロトコルソースフィールド３１およびインターネットプロトコル宛先フィールド４１およびインターネットプロトコルルーティングフィールド４４を含むように変換される。第２のエッジルータ７のもう一方側で、ヘッダはレイヤー３にインターネットプロトコルソースフィールド３１およびインターネットプロトコル宛先フィールド３４およびインターネットプロトコルルーティングフィールド４７を含む。第３のアプリケーション情報はアクセスマルチプレクサ３に到着し、次いで仮想転送システム５に提供されて、アクセスマルチプレクサ３と第３のエッジルータ８の間で、ヘッダがレイヤー２にイーサネットソースフィールド５３およびイーサネット宛先フィールド５５を含んでいるが、レイヤー３にはインターネットプロトコルソースフィールド３１およびインターネットプロトコル宛先フィールド４０およびインターネットプロトコルルーティングフィールド４３を含むように変換される。第３のエッジルータ８のもう一方側で、ヘッダはレイヤー３にインターネットプロトコルソースフィールド３１およびインターネットプロトコル宛先フィールド３３およびインターネットプロトコルルーティングフィールド４６を含む。
【００４０】
フィールドはレイヤー３で以下のように充填される。３１＝ａｄｄｒｅｓｓ  Ａ、３２＝ａｄｄｒｅｓｓ  Ｘ、３３＝ａｄｄｒｅｓｓ  Ｙ、３４＝ａｄｄｒｅｓｓ  Ｚ、３５＝ａｄｄｒｅｓｓ  ＶＦ、３６＝ａｄｄｒｅｓｓ  ＥＲ１かつａｄｄｒｅｓｓ  Ｘ、３７＝ａｄｄｒｅｓｓ  ＥＲ３かつａｄｄｒｅｓｓ  Ｙ、３８＝ａｄｄｒｅｓｓ  ＥＲ２かつａｄｄｒｅｓｓ  Ｚ、３９＝ａｄｄｒｅｓｓ  ＥＲ１、４０＝ａｄｄｒｅｓｓ  ＥＲ３、４１＝ａｄｄｒｅｓｓ  ＥＲ２、４２＝ａｄｄｒｅｓｓ  ＶＦかつａｄｄｒｅｓｓ  ｘ、４３＝ａｄｄｒｅｓｓ  ＶＦかつａｄｄｒｅｓｓ  ｙ、４４＝ａｄｄｒｅｓｓ  ＶＦかつａｄｄｒｅｓｓ  ｚ、４５＝ａｄｄｒｅｓｓ  ＶＦかつａｄｄｒｅｓｓ  ＥＲ１、４６＝ａｄｄｒｅｓｓ  ＶＦかつａｄｄｒｅｓｓ  ＥＲ３、４７＝ａｄｄｒｅｓｓ  ＶＦかつａｄｄｒｅｓｓ  ＥＲ２、かつレイヤー２では、５１＝ａｄｄｒｅｓｓ  Ａ、５２＝ａ  ｄｅｆａｕｌｔ  ａｄｄｒｅｓｓ、５３＝ａｄｄｒｅｓｓ  ＡＭ、５４＝ａｄｄｒｅｓｓ  ＥＲ１、５５＝ａｄｄｒｅｓｓ  ＥＲ３かつ５６＝ａｄｄｒｅｓｓ  ＥＲ２である。したがって、Ａは端末システム１、２を指し、Ｘは第１の宛先を指し、Ｙは第２の宛先を指し、Ｚは第３の宛先を指し、ＶＦは仮想転送システム５を指し、ＡＭはアクセスマルチプレクサ３を指し、ＥＲ１は第１のエッジルータ６を指し、ＥＲ２は第２のエッジルータ７を指し、ＥＲ３は第３のエッジルータ８を指す。
【００４１】
図２では、アクセスマルチプレクサ３は、フィールド３５に充填すべきであり仮想転送システム５の少なくとも一部を定義する仮想転送インターネットプロトコルアドレスＶＦを端末システム１、２に送信し、フィールド３６、３７、３８に挿入すべきでありネットワーク内の宛先を定義する宛先インターネットプロトコルアドレスＥＲ１、ＥＲ２、ＥＲ３を送信する。端末システム１、２は、こうしたアドレスをアクセスマルチプレクサ３から受信し、たとえば走査検索によって、フィールド３６、３７、３８に挿入すべきでありネットワーク内の宛先を定義する宛先インターネットプロトコルアドレスＸ、Ｙ、Ｚをさらに受信する。
【００４２】
図３で示した本発明によるシステムのブロック図には、たとえば本発明によるアクセスマルチプレクサ３に結合された端末１およびモデム２を備えた本発明による端末システム１、２が含まれている。アクセスマルチプレクサ３は、もはやイーサネットブリッジを含んでいないが、第１のエッジルータ６に結合された第１の仮想転送機能５ａ並びに第２のエッジルータ７に結合された第２の仮想転送機能５ｂを含む仮想転送システム５を含む。
【００４３】
端末システム１、２は、エッジルータ６、７を含むネットワークに情報を送信する。この情報は、たとえばそれぞれヘッダによってヘッディングされた、１つあるいは複数のパケット、１つあるいは複数のメッセージ、または１つあるいは複数のパケット化されたメッセージを含む。端末システム１、２が２つの異なる宛先に同時にアクセスする場合、情報は（第１のエッジルータ６において／を介して第１の宛先に宛てられた）第１のアプリケーション情報と、（第２のエッジルータ７において／を介して第２の宛先に宛てられた）第２のアプリケーション情報に分けられる。第１のアプリケーション情報は、第１のエッジルータ６を使用して第１のサービスプロバイダに提供される。第２のアプリケーション情報は、第２のエッジルータ７を使用して第２のサービスプロバイダに提供される。
【００４４】
第１のアプリケーション情報について、ヘッダはレイヤー２にイーサネットソースフィールド７１およびイーサネット宛先フィールド７２を含み、レイヤー３にインターネットプロトコルソースフィールド６１およびインターネットプロトコル宛先フィールド６４およびインターネットプロトコルルーティングフィールド６５を含む。最初は、ヘッダはレイヤー３にインターネットプロトコルソースフィールド６１およびインターネットプロトコル宛先フィールド６２を含み、図４および５で詳細に示すように、端末システム１は、インターネットプロトコル宛先フィールド６４のための内容、およびインターネットプロトコルルーティングフィールド６５のための内容を挿入する。第２のアプリケーション情報について、ヘッダはレイヤー２にイーサネットソースフィールド７１およびイーサネット宛先フィールド７２を含み、レイヤー３にインターネットプロトコルソースフィールド６１およびインターネットプロトコル宛先フィールド６６、およびインターネットプロトコルルーティングフィールド６７を含む。最初は、ヘッダはレイヤー３にインターネットプロトコルソースフィールド６１およびインターネットプロトコル宛先フィールド６３を含み、図４および５で詳細に示すように、端末システム１、２は、インターネットプロトコル宛先フィールド６６のための内容、およびインターネットプロトコルルーティングフィールド６７のための内容を挿入する。
【００４５】
第１のアプリケーション情報はアクセスマルチプレクサ３に到着し、次いで第１の仮想転送機能５ａに提供されて、アクセスマルチプレクサ３と第１のエッジルータ６の間で、ヘッダがレイヤー２にイーサネットソースフィールド７３およびイーサネット宛先フィールド７４を含み、レイヤー３にインターネットプロトコルソースフィールド６１、およびインターネットプロトコル宛先フィールド６２、およびインターネットプロトコルルーティングフィールド６８を含むように変換される。第２のアプリケーション情報はアクセスマルチプレクサ３に到着し、次いで第２の仮想転送機能５ｂに提供されて、アクセスマルチプレクサ３と第２のエッジルータ７の間で、ヘッダがレイヤー２にイーサネットソースフィールド７３およびイーサネット宛先フィールド７５を含み、レイヤー３にインターネットプロトコルソースフィールド６１、およびインターネットプロトコル宛先フィールド６３、およびインターネットプロトコルルーティングフィールド６９を含むように変換される。
【００４６】
フィールドは、レイヤー３で以下のように充填される。６１＝ａｄｄｒｅｓｓ  Ａ、６２＝ａｄｄｒｅｓｓ  Ｘ、６３＝ａｄｄｒｅｓｓ  Ｙ、６４＝ａｄｄｒｅｓｓ  ＶＦ１、６５＝ａｄｄｒｅｓｓ  Ｘ、６６＝ａｄｄｒｅｓｓ  ＶＦ２、６７＝ａｄｄｒｅｓｓ  Ｙ、６８＝ａｄｄｒｅｓｓ  ＶＦ１かつ６９＝ａｄｄｒｅｓｓ  ＶＦ２、かつレイヤー２では、７１＝ａｄｄｒｅｓｓ  Ａ、７２＝ａ  ｄｅｆａｕｌｔ  ａｄｄｒｅｓｓ、７３＝ａｄｄｒｅｓｓ  ＡＭ、７４  ＝  ａｄｄｒｅｓｓ  ＥＲ１、かつ７５＝ａｄｄｒｅｓｓ  ＥＲ２である。したがって、Ａは端末システム１を指し、Ｘは第１の宛先を指し、Ｙは第２の宛先を指し、ＶＦ１は第１の仮想転送機能５ａを指し、ＶＦ２は第２の仮想転送機能５ｂを指し、ＡＭはアクセスマルチプレクサ３を指し、ＥＲ１は第１のエッジルータ６を指し、ＥＲ２は第２のエッジルータ７を指す。
【００４７】
図３では、アクセスマルチプレクサ３は、フィールド６４、６６に充填すべきであり仮想転送システム５の少なくとも一部を定義する仮想転送インターネットプロトコルアドレスＶＦ１、ＶＦ２を端末システム１、２に送信する。端末システム１、２は、こうしたアドレスをアクセスマルチプレクサ３から受信し、たとえばブラウジングによって、フィールド６５、６７に挿入すべきでありネットワーク内の宛先を定義する宛先インターネットプロトコルアドレスＸ、Ｙをさらに受信する。
【００４８】
図４で示した本発明によるアクセスマルチプレクサ３のブロック図には、送受信機８２、結合器８３、および仮想転送システム５に結合されたプロセッサシステム８１が含まれている。送受信機８２は、結合器８３を介して仮想転送システム５に内部で結合され、端末システム１、２に外部で結合されている。仮想転送システム５は、エッジルータ６、７（８）に外部で結合されている。プロセッサシステム８１は、たとえばプロセッサ８１ａ、メモリ８１ｂ、コンサルタ８１ｃ、インサータ８１ｄ、および検出器８１ｅを備える。
【００４９】
図５で示した本発明による端末システム１、２のブロック図には、送受信機９２が含まれ、この送受信機９２はアクセスマルチプレクサ３に外部で結合され、プロセッサシステム９１に内部で結合されており、プロセッサシステム９１は、（たとえば端末システム１、２が端末１に対応する場合に、たとえば追加のメモリとインターフェースをとるためのメモリインターフェースなど、またはたとえば端末システム１、２がモデム２に対応する場合に、たとえばさらなるネットワーク／結合とインターフェースをとるためのネットワーク／結合インターフェース、あるいはさらなるプロセッサシステムとインターフェースをとるためのプロセッサシステムインターフェースなど）マンマシンインターフェース９３、ビデオカード９４、およびインターフェース９５にさらに結合されている。プロセッサシステム９１は、たとえばプロセッサ９１ａ、メモリ９１ｂ、検出器９１ｃ、およびインサータ９１ｄを備える。
【００５０】
ユーザが、端末システム１、２で法人イントラネットサイト（第１のアプリケーション）および公庫ポータルサイト（第２のアプリケーション）に同時にアクセスすることを望む場合、端末システム１、２は、当技術分野で一般的な信号情報（初期設定情報）をアクセスマルチプレクサ３に送信する。検出器８１ｅは、この信号情報を検出し、コンサルタ８１ｃに、仮想転送システム５の少なくとも一部を定義する仮想転送インターネットプロトコルアドレスＶＦ、ＶＦ１、ＶＦ２を検索し、ネットワーク内の宛先を定義する宛先インターネットプロトコルアドレスＥＲ１、ＥＲ２、ＥＲ３を検索するように命令する。この検索は、当技術分野で一般的な方法で、たとえばアクセスマルチプレクサ３に結合された図で示していない認証サーバで実行される。仮想転送インターネットプロトコルアドレスＶＦ、ＶＦ１、ＶＦ２および宛先インターネットプロトコルアドレスＥＲ１、ＥＲ２、ＥＲ３が端末システム１、２に送信される。たとえばブラウジングによって、端末システム１、２は宛先インターネットプロトコルアドレスＸ、Ｙ、Ｚをさらに受信する。インサータ９１ｄは、仮想転送インターネットプロトコルアドレスＶＦ、ＶＦ１、ＶＦ２をインターネットプロトコルヘッダの宛先フィールドに挿入し、宛先インターネットプロトコルアドレスＥＲ１、ＥＲ２、ＥＲ３、Ｘ、Ｙ、Ｚをインターネットプロトコルヘッダのルーティングフィールドに挿入する。このインターネットプロトコルヘッダは、サイトへのアクセスを可能にするために、端末システム１、２からネットワークに送信すべき情報をヘッディングするように構成されている。検出器８１ｅはアクセスマルチプレクサ３でヘッダ（の一部）を検出し、図２および３などで示したように、インサータ８１ｄにたとえばフィールド３９、４０、４１、４２、４３、４４、５３、５４、５５、５６、および６２、６３、６８、６９、７３、７４、７５のための当技術分野で一般的な内容を挿入するように命令する。
【００５１】
仮想転送インターネットプロトコルアドレスがインターネットプロトコルヘッダの宛先フィールド内に存在するため、端末システム１は、イーサネットブリッジ４をもはや必要とせずに、その情報を仮想転送システム５の適切な部分に直接送信することができる。インターネットプロトコルヘッダのルーティングフィールド内の宛先インターネットプロトコルアドレスによって、アクセスマルチプレクサ３が情報（の一部）をアンパックしてより高層で情報（の一部）を検出するように強制させられることなく、端末システム１、２によって同時に使用されるサービスの様々なクラスかつ／または様々なアプリケーションの区別が可能になる。その結果、本発明によるシステムは複雑性が比較的低減される。適切に機能させるには、端末システム１、２とアクセスマルチプレクサ３の両方が、インターネットプロトコルバージョン４に従ってインターネットプロトコルヘッダに対応し（この場合、ルーティングフィールドはたとえばストリクトソースルーティングオプションフィールドまたはルーズソースルーティングフィールドに対応する）、または、たとえばインターネットプロトコルバージョン６などインターネットプロトコルバージョン４よりも高レベルのインターネットプロトコルヘッダに対応できなければならない（この場合、ルーティングフィールドはたとえばルーティング拡張フィールドに対応する）。
【００５２】
いずれの宛先も最終宛先を含むことができ、かつ／または中間宛先を含むことができる。いずれの端末システム１、２も、（ラップトップあるいはデスクトップなど）パーソナルコンピュータなど最終加入者ユニット、または（（スクリーン）フォン、無線端末システム、あるいは移動端末システムなど）電気通信端末システム、もしくは中間加入者ユニット（モデムなど）、またはその組合せでもよい。アクセスマルチプレクサ３は、ディジタル加入者回線アクセスマルチプレクサ、または他のネットワークユニットなどでもよい。
【００５３】
プロセッサシステム８１、９１では、モジュール８１ａ〜ｅ、９１ａ〜ｄは、ハードウェア、ソフトウェア、またはその両方の組合せでもよく、本発明の範囲から逸脱することなく、プロセッサシステム８１、９１ごとに２つ以上のモジュールを統合することができる。
【００５４】
たとえば「送信するための」、「受信するための」、および「挿入するための」などの表現「ための」は、他の機能も同時または非同時に実行されることを除外するものではない。「Ｑに結合されたＰ」、および「ＰとＱの間の結合」、また「ＰとＱの結合／ＰとＱを結合する」などの表現は、要素ＲがＰとＱの間に存在することを除外するものではない。「ＳはＴを含む」および「Ｔを含むＳ」などの表現は、要素Ｕも含まれることを除外するものではない。用語「１つの」は、１つまたは複数の存在の可能性を除外するものではない。
【図面の簡単な説明】
【００５５】
【図１】従来技術のアクセスマルチプレクサおよび従来技術の端末システムを含む従来技術のシステムを示すブロック図である。
【図２】本発明によるアクセスマルチプレクサおよび本発明による端末システムを含む本発明によるシステムを示すブロック図である。
【図３】本発明によるアクセスマルチプレクサおよび本発明による端末システムを含む本発明によるシステムを示すブロック図である。
【図４】本発明によるアクセスマルチプレクサを示すブロック図である。
【図５】本発明による端末システムを示すブロック図である。
【符号の説明】
【００５６】
１、２  端末システム
３  アクセスマルチプレクサ
４  イーサネットブリッジ
５  仮想転送システム
５ａ  第１の仮想転送機能
５ｂ  第２の仮想転送機能
６  第１のエッジルータ
７  第２のエッジルータ
８  第３のエッジルータ
１１、３１、６１  インターネットプロトコルソースフィールド
１２、１３、３２、３３、３４、３５、３９、４０、４１、６２、６３、６４、６６  インターネットプロトコル宛先フィールド
２１、７１、２３、２４、５１、５３、７３  イーサネットソースフィールド
２２、２５、２６、５２、５４、５５、５６、７２、７４、７５  イーサネット宛先フィールド
３６、３８、４２、４３、４４、４５、４６、４７、６５、６７、６８、６９  インターネットプロトコルルーティングフィールド
３７  宛先インターネットプロトコルアドレス
８１、９１  プロセッサシステム
８１ａ、９１ａ  プロセッサ
８１ｂ、９１ｂ  メモリ
８１ｃ、  コンサルタ
８１ｄ、９１ｄ  インサータ
８１ｅ、９１ｃ  検出器
８２、９２  送受信機
８３  結合器
９３  マンマシンインターフェース
９４  ビデオカード
９５  インターフェース
１００  従来技術の端末
２００  従来技術のモデム
３００  従来技術のアクセスマルチプレクサ
【図１】
2005184807.tif 000003
【図２】
2005184807.tif 000004
【図３】
2005184807.tif 000005
【図４】
2005184807.tif 000006
【図５】
2005184807.tif 000007
【外国語明細書】
2005184807.tif 000008
2005184807.tif 000009
2005184807.tif 000010
2005184807.tif 000011
2005184807.tif 000012
2005184807.tif 000013
2005184807.tif 000014
2005184807.tif 000015
2005184807.tif 000016
2005184807.tif 000017
2005184807.tif 000018
2005184807.tif 000019
2005184807.tif 000020
2005184807.tif 000021
2005184807.tif 000022
2005184807.tif 000023
2005184807.tif 000024
2005184807.tif 000025
2005184807.tif 000026
2005184807.tif 000027
2005184807.tif 000028
2005184807.tif 000029
2005184807.tif 000030
2005184807.tif 000031
2005184807.tif 000032
2005184807.tif 000033
2005184807.tif 000034
2005184807.tif 000035
2005184807.tif 000036
2005184807.tif 000037
2005184807.tif 000038